【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントを備えるカメラ用アクセサリにおいて、
前記アクセサリ側マウントを前記カメラボディ側マウントに対して正規の挿抜位相で挿入した際に、前記第１〜第３の爪のいずれもが前記カメラボディ側マウントに設けられている３つのカメラボディ側爪に阻害されることなく前記カメラボディ側マウントへの挿入が許可されるように、前記第１〜第３の爪は前記アクセサリ側マウントに配設されており、
前記第１〜第３の爪は、前記円周方向に延在する長さがそれぞれ異なり、
前記第１の爪は、前記円周方向に延在する長さが前記第１〜第３の爪の中で最も長く、
前記第３の爪は、前記円周方向に延在する長さが前記第１〜第３の爪の中で最も短く、
前記アクセサリ側マウントは、前記第３の爪の近傍に規制部材を有し、
前記規制部材は、
前記カメラボディ側マウントに対して前記正規の挿抜位相で挿入した前記第１〜第３の爪を前記円周方向に沿って第１の回転方向に回転させた場合に、いずれか１つの前記カメラボディ側爪の側端に当接することで、前記第１の回転方向への回転範囲を規制するように配設されており、且つ、
前記カメラボディ側マウントに対して前記第１〜第３の爪を前記円周方向に沿って、前記第１の回転方向とは反対の第２の回転方向に回転させた場合に、前記いずれか１つのカメラボディ側爪とは異なる前記カメラボディ側爪の側端に当接することで、前記第２の回転方向への回転範囲を規制するように配設されている、
ことを特徴とするカメラ用アクセサリ。
【請求項２】
請求項１に記載のカメラ用アクセサリにおいて、
前記アクセサリ側マウントは、前記正規の挿抜位相以外の位相で挿入しようとした際には、前記第１〜第３の爪の少なくとも２つの爪と、前記カメラボディ側爪の少なくとも２つの爪とが当接することによって、前記第１〜第３の爪の前記カメラボディ側マウントへの挿入が禁止されるように、前記第１〜第３の爪が配設されていることを特徴とするカメラ用アクセサリ。
【請求項３】
請求項１または請求項２に記載のカメラ用アクセサリにおいて、
前記第１の爪は、前記正規の挿抜位相で挿入された前記アクセサリ側マウントを前記カメラボディ側マウントに装着完了させたときに、前記カメラボディの姿勢を、前記カメラボディを正立させた横位置の姿勢から略９０度回転させた縦位置としたときに最も上方に位置するカメラボディ側爪と重なり合うことを特徴とするカメラ用アクセサリ。
【請求項４】
請求項１〜３のいずれか一項に記載のカメラ用アクセサリにおいて、
前記第１〜第３の爪は、前記カメラ用アクセサリの本体に対して固定されていることを特徴とするカメラ用アクセサリ。
【請求項５】
請求項１〜３のいずれか一項に記載のカメラ用アクセサリにおいて、
前記第１〜第３の爪は、前記カメラ用アクセサリの本体に対して前記円周方向に回転可能に取り付けられていることを特徴とするカメラ用アクセサリ。
【請求項６】
請求項１〜５のいずれか一項に記載のカメラ用アクセサリにおいて、
前記第１〜第３の爪は、前記ボディ側マウントに装着完了されている前記アクセサリ側マウントを、前記アクセサリの後方から見たときの９時の方向を基準とした時計方向の角度範囲で表した際に、略５６．５度から略１１５度の範囲に存在する爪と、略１７２．５度から略２１４．５度の範囲に存在する爪と、略２７２度から略３４３．５度の範囲に存在する爪とによって構成されることを特徴とするカメラ用アクセサリ。
【請求項７】
請求項１〜６のいずれか一項に記載のカメラ用アクセサリにおいて、
前記第１〜第３の爪において、各爪の、前記円周方向に延在する長さを円弧としてみたときの各爪の円弧の中心角は、
前記第１の爪の中心角が略７１．５度であり、前記第２の爪の中心角が略５８．５度であり、前記第３の爪の中心角が略４２度であることを特徴とするカメラ用アクセサリ。
【請求項８】
請求項６または請求項７に記載のカメラ用アクセサリにおいて、
前記正規の挿抜位相で挿入された前記アクセサリ側マウントを前記ボディ側マウントと結合するために前記第１〜第３の爪を前記円周方向に沿って略４０．５度回転させると、前記アクセサリ側マウントと前記ボディ側マウントとが装着完了されることを特徴とするカメラ用アクセサリ。
【請求項９】
請求項１〜８のいずれか一項に記載のカメラ用アクセサリに設けられたアクセサリ側マウント。
【請求項１０】
アクセサリ側マウントを備えるカメラ用アクセサリが着脱可能なカメラボディであって、且つ、前記カメラボディの開口に関する所定円の円周に沿って互いに離間して、当該円周上から径方向に突出して配設された第１〜第３の爪を有するバヨネット構造のボディ側マウントを備えるカメラボディにおいて、
前記ボディ側マウントは、前記アクセサリ側マウントに対して正規の挿抜位相で挿入した際には、前記第１〜第３の爪のいずれもが前記アクセサリ側マウントに設けられている３つのアクセサリ側爪に阻害されることなく、前記アクセサリ側マウントの挿入が許可されるように、前記第１〜第３の爪は前記ボディ側マウントに配設されており、
前記第１の爪と前記第２の爪とは前記円周方向に離れて隣り合うように前記ボディ側マウントに設けられ、
前記第１〜第３の爪の前記円周方向において互いに隣り合う爪同士の間の間隔の中では、前記第１の爪と前記第２の爪との爪同士の間隔が、他の爪同士の間隔に比して最も狭く、
前記正規の挿抜位相で挿入された前記アクセサリ側マウントの前記ボディ側マウントに対して回転可能な角度は、前記第１の爪と前記第２の爪との爪同士の間隔で規定されることを特徴とするカメラボディ。
【請求項１１】
請求項１０に記載のカメラボディにおいて、
前記第１の爪は、前記円周方向において隣り合って設けられた前記第２の爪と対向する第１の端部を有し、
前記第２の爪は、前記円周方向において隣り合って設けられた前記第１の爪と対向する第２の端部を有し、
前記正規の挿抜位相で挿入された前記アクセサリ側マウントの前記ボディ側マウントに対して回転可能な角度は、前記アクセサリ側マウントに設けられた規制部材が前記第１の端部と当接する位相から前記第２の端部と当接する位相までの間の角度であることを特徴とするカメラボディ。
【請求項１２】
請求項１０または請求項１１に記載のカメラボディにおいて、
前記ボディ側マウントは、前記正規の挿抜位相以外の位相で挿入されようとした際には、前記第１〜第３の爪の少なくとも２つの爪と、前記アクセサリ側爪の少なくとも２つの爪とが当接することで前記アクセサリ側マウントの挿入を禁止することを特徴とするカメラボディ。
【請求項１３】
請求項１０〜１２のいずれか一項に記載のカメラボディにおいて、
前記第１の爪は、前記カメラボディの姿勢を、前記カメラボディを正立させた横位置としたときに最も上方に位置し、
前記第１の爪と前記第３の爪とは前記円周方向において隣り合って設けられ、
前記第１の爪は、前記円周方向において隣り合って設けられた前記第３の爪と対向する第３の端部を有し、
前記第１の爪と、第２および第３の爪のいずれか一方の爪とが、前記アクセサリ側爪の２つの爪と当接する場合であって、当接箇所が合計で２箇所である場合、前記第１の爪における当接箇所は、前記第３の側端近傍を含むことを特徴とするカメラボディ。
【請求項１４】
請求項１３に記載のカメラボディにおいて、
前記開口は、前記カメラボディの正面に設けられ、
前記第１の爪は、その一部が前記カメラボディの姿勢を前記横位置としたときに前記開口の直上を通って前記所定円の円周方向に延在することを特徴とするカメラボディ。
【請求項１５】
請求項１４に記載のカメラボディにおいて、
前記正規の挿抜位相で挿入された前記アクセサリ側マウントを前記ボディ側マウントに装着完了させるために前記アクセサリ側爪を前記所定円の円周方向に沿って回転させると、前記第１〜第３の爪のそれぞれと、前記アクセサリ側爪との間で前記アクセサリ側爪を前記カメラボディの背面側に付勢する弾性部材をさらに備え、
前記第１〜第３の爪は、前記弾性部材の付勢力に抗して前記アクセサリ側爪が前記カメラボディの正面側に移動した際に前記アクセサリ側爪に当接して移動を規制する規制部が設けられていることを特徴とするカメラボディ。
【請求項１６】
請求項１５に記載のカメラボディにおいて、
前記第１の爪に設けられた前記規制部は、前記カメラボディの姿勢を前記横位置としたときに前記開口の中心の鉛直上方に位置することを特徴とするカメラボディ。
【請求項１７】
請求項１４〜１６のいずれか一項に記載のカメラボディにおいて、
前記第１〜第３の爪は、前記所定円の円周方向に延在する長さがそれぞれ異なり、
前記第１〜第３の爪の前記円周方向において互いに隣り合う爪同士の間の間隔は、前記カメラボディの姿勢を前記横位置としたときに前記開口の直下を挟んで設けられている２つの爪同士の間隔が最も広いことを特徴とするカメラボディ。
【請求項１８】
請求項１４〜１７のいずれか一項に記載のカメラボディにおいて、
前記第１〜第３の爪は、前記カメラボディの姿勢を前記横位置としたときに前記開口を正面から見たときの３時の方向を基準とした反時計方向の角度範囲で表した際に、略７６度から略１３０度の範囲に存在する爪と、略１７７．５度から略２２６度の範囲に存在する爪と、略３０４．５度から略１５度（略３７５度）の範囲に存在する爪とによって構成されることを特徴とするカメラボディ。
【請求項１９】
請求項１０〜１８のいずれか一項に記載のカメラボディにおいて、
前記第１〜第３の爪の大きさを前記所定円の円周に沿った範囲の中心角で表すと、
前記第１の爪の中心角は略５４度であり、前記第２の爪の中心角は略４８．５度であり、前記第３の爪の中心角は略７０．５度である、ことを特徴とするカメラボディ。
【請求項２０】
請求項１０〜１９のいずれか一項に記載のカメラボディにおいて、
前記第１〜第３の爪の前記円周方向において互いに隣り合う爪同士の間の間隔を、前記所定円の円周に沿った角度範囲で表すと、
前記第１の爪と前記第２の爪との間隔は略４７．５度であり、前記第２の爪と前記第３の爪との間隔は略７８．５度であり、前記第３の爪と前記第１の爪との間隔は略６１度である、ことを特徴とするカメラボディ。
【請求項２１】
請求項１８〜２０のいずれか一項に記載のカメラボディにおいて、
前記正規の挿抜位相で挿入された前記アクセサリ側マウントを前記ボディ側マウントと結合するために前記アクセサリ側爪を前記所定円の円周方向に沿って略４０．５度回転させると、前記アクセサリ側マウントと前記ボディ側マウントとが装着完了されることを特徴とするカメラボディ。
【請求項２２】
請求項１０〜２１のいずれか一項に記載のカメラボディにおいて、
前記ボディ側マウントは、請求項８に記載のアクセサリ側マウントが正規の挿抜位相で挿入された際には、前記第１〜第３の爪のいずれもが前記アクセサリ側マウントの３つのアクセサリ側爪と当接することなく、前記アクセサリ側マウントの挿入を許可し、前記正規の挿抜位相以外の位相で挿入されようとした際には、前記第１〜第３の爪の少なくとも２つの爪と、前記アクセサリ側爪の少なくとも２つの爪とが当接することで前記アクセサリ側マウントの挿入を禁止することを特徴とするカメラボディ。
【請求項２３】
請求項１０〜２２のいずれか一項に記載のカメラボディに設けられるボディ側マウント。
【請求項２４】
所定円の円周方向に沿って互いに離間して配設され且つ当該所定円の円周から径方向の内側に向かって突出して配設された互いに円周方向に延在する長さの異なる第１〜第３のカメラボディ側爪と、前記円周方向において前記３つのボディ側爪の間に設けられ且つ前記円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、
前記アクセサリ側マウントを前記カメラボディ側マウントに対して正規の挿抜位相で挿入した際に、前記第１〜第３のアクセサリ側爪のいずれもが、前記３つのカメラボディ側爪に阻害されることなく前記３つのカメラボディ側溝への挿入が許可されるように、前記第１〜第３のアクセサリ側爪は前記アクセサリ側マウントに配設されており、
前記第１のアクセサリ側爪は、前記アクセサリ側マウントを前記カメラボディ側マウントに対して正規の挿抜位相で挿入した際に、前記３つのカメラボディ側溝のうちの前記所定円の前記円周方向に延在する長さが最も長い前記第１のカメラボディ側溝への挿入が許可されるように前記アクセサリ側マウントに配設されており、
前記第２のアクセサリ側爪は、前記アクセサリ側マウントを前記カメラボディ側マウントに対して正規の挿抜位相で挿入した際に、前記３つのカメラボディ側溝のうちの前記第２のカメラボディ側溝への挿入が許可されるように前記アクセサリ側マウントに配設されており、
前記第３のアクセサリ側爪は、前記アクセサリ側マウントを前記カメラボディ側マウントに対して正規の挿抜位相で挿入した際に、前記３つのカメラボディ側溝のうちの前記所定円の前記円周方向に延在する長さが最も短い前記第３のカメラボディ側溝への挿入が許可されるように前記アクセサリ側マウントに配設されており、
前記アクセサリ側マウントは、前記第３のアクセサリ側爪の近傍に規制部材を有し、
前記規制部材は、
前記カメラボディ側マウントに対して前記正規の挿抜位相で挿入した前記第１〜第３のアクセサリ側爪を前記円周方向に沿って第１の回転方向に回転させた場合に、いずれか１つの前記カメラボディ側爪の側端に当接することで、前記第１の回転方向への回転範囲を規制するように配設されており、且つ、
前記カメラボディ側マウントに対して前記第１〜第３のアクセサリ側爪を前記円周方向に沿って、前記第１の回転方向とは反対の第２の回転方向に回転させた場合に、前記いずれか１つのカメラボディ側爪とは異なる前記カメラボディ側爪の側端に当接することで、前記第２の回転方向への回転範囲を規制するように配設されている、
ことを特徴とするカメラ用アクセサリ。
【請求項２５】
所定円の円周方向に沿って互いに離間して配設され且つ当該所定円の円周から径方向の内側に向かって突出して配設された互いに前記円周方向に延在する長さの異なる第１〜第３のカメラボディ側爪と、前記円周方向において前記３つのボディ側爪の間に設けられ且つ前記円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、
前記アクセサリ側マウントを前記カメラボディ側マウントに対して正規の挿抜位相で挿入した際に、前記第１〜第３のアクセサリ側爪のいずれもが、前記３つのカメラボディ側爪に阻害されることなく前記３つのカメラボディ側溝への挿入が許可されるように、前記第１〜第３のアクセサリ側爪は前記アクセサリ側マウントに配設されており、
前記第１のアクセサリ側爪は、前記アクセサリ側マウントを前記カメラボディ側マウントに対して正規の挿抜位相で挿入した際に、前記所定円の前記円周方向に延在する範囲の中心角が略７８．５度の前記第１のカメラボディ側溝への挿入が許可されるように前記アクセサリ側マウントに配設されており、
前記第２のアクセサリ側爪は、前記アクセサリ側マウントを前記カメラボディ側マウントに対して正規の挿抜位相で挿入した際に、前記所定円の前記円周方向に延在する範囲の中心角が略６１度の前記第２のカメラボディ側溝への挿入が許可されるように前記アクセサリ側マウントに配設されており、
前記第３のアクセサリ側爪は、前記アクセサリ側マウントを前記カメラボディ側マウントに対して正規の挿抜位相で挿入した際に、前記所定円の前記円周方向に延在する範囲の中心角が略４７．５度の前記第３のカメラボディ側溝への挿入が許可されるように前記アクセサリ側マウントに配設されており、
前記アクセサリ側マウントは、前記第３のアクセサリ側爪の近傍に規制部材を有し、
前記規制部材は、
前記カメラボディ側マウントに対して前記正規の挿抜位相で挿入した前記第１〜第３のアクセサリ側爪を前記円周方向に沿って第１の回転方向に回転させた場合に、いずれか１つの前記カメラボディ側爪の側端に当接することで、前記第１の回転方向への回転範囲を規制するように配設されており、且つ、
前記カメラボディ側マウントに対して前記第１〜第３のアクセサリ側爪を前記円周方向に沿って、前記第１の回転方向とは反対の第２の回転方向に回転させた場合に、前記いずれか１つのカメラボディ側爪とは異なる前記カメラボディ側爪の側端に当接することで、前記第２の回転方向への回転範囲を規制するように配設されている、
ことを特徴とするカメラ用アクセサリ。
【請求項２６】
請求項１〜８、２４，２５のいずれか一項に記載のカメラ用アクセサリにおいて、
請求項１０〜２１のいずれか一項に記載のカメラボディに設けられるボディ側マウントに対して前記正規の挿抜位相で挿入された際には、前記アクセサリ側マウントの前記第１〜第３の爪のいずれもが前記カメラボディ側マウントの３つのカメラボディ側爪と当接することなく、前記カメラボディ側マウントへの挿入が許可され、前記正規の挿抜位相以外の位相で挿入されようとした際には、前記アクセサリ側マウントの前記第１〜第３の爪の少なくとも２つの爪と、前記カメラボディ側爪の少なくとも２つの爪とが当接することで前記カメラボディ側マウントへの挿入が禁止されることを特徴とするカメラ用アクセサリ。
【請求項２７】
請求項２６に記載のカメラ用アクセサリに設けられたアクセサリ側マウント。
【請求項２８】
請求項１〜８、２４，２５のいずれか一項に記載のカメラ用アクセサリにおいて、
前記第１のアクセサリ側爪は、前記所定径の円周方向に延在する範囲の中心角が略７１．５度になるように前記アクセサリ側マウントに配設されており、
前記第２のアクセサリ側爪は、前記所定径の円周方向に延在する範囲の中心角が略５８．５度になるように前記アクセサリ側マウントに配設されており、
前記第１のアクセサリ側爪は、前記所定径の円周方向に延在する範囲の中心角が略４２度になるように前記アクセサリ側マウントに配設されている、ことを特徴とするカメラ用アクセサリ。
【請求項２９】
請求項１〜８、２４，２５，２８のいずれか一項に記載のカメラ用アクセサリにおいて、
前記カメラ用アクセサリは、前記カメラボディに対して着脱可能に装着される撮影レンズであることを特徴とするカメラ用アクセサリ。
【手続補正２】
【補正対象書類名】明細書
【補正対象項目名】０００６
【補正方法】変更
【補正の内容】
【０００６】
（１）  請求項１の発明によるカメラ用アクセサリは、カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントを備えるカメラ用アクセサリにおいて、アクセサリ側マウントをカメラボディ側マウントに対して正規の挿抜位相で挿入した際に、第１〜第３の爪のいずれもがカメラボディ側マウントに設けられている３つのカメラボディ側爪に阻害されることなくカメラボディ側マウントへの挿入が許可されるように、第１〜第３の爪はアクセサリ側マウントに配設されており、第１〜第３の爪は、円周方向に延在する長さがそれぞれ異なり、第１の爪は、円周方向に延在する長さが第１〜第３の爪の中で最も長く、第３の爪は、円周方向に延在する長さが第１〜第３の爪の中で最も短く、アクセサリ側マウントは、第３の爪の近傍に規制部材を有し、規制部材は、カメラボディ側マウントに対して正規の挿抜位相で挿入した第１〜第３の爪を円周方向に沿って第１の回転方向に回転させた場合に、いずれか１つのカメラボディ側爪の側端に当接することで、第１の回転方向への回転範囲を規制するように配設されており、且つ、カメラボディ側マウントに対して第１〜第３の爪を円周方向に沿って、第１の回転方向とは反対の第２の回転方向に回転させた場合に、いずれか１つのカメラボディ側爪とは異なるカメラボディ側爪の側端に当接することで、第２の回転方向への回転範囲を規制するように配設されている、ことを特徴とする。
（２）  請求項９の発明によるアクセサリ側マウントは、請求項１〜８のいずれか一項に記載のカメラ用アクセサリに設けられた、ことを特徴とする。
（３）  請求項１０の発明によるカメラボディは、アクセサリ側マウントを備えるカメラ用アクセサリが着脱可能なカメラボディであって、且つ、カメラボディの開口に関する所定円の円周に沿って互いに離間して、当該円周上から径方向に突出して配設された第１〜第３の爪を有するバヨネット構造のボディ側マウントを備えるカメラボディにおいて、ボディ側マウントは、アクセサリ側マウントに対して正規の挿抜位相で挿入した際には、第１〜第３の爪のいずれもがアクセサリ側マウントに設けられている３つのアクセサリ側爪に阻害されることなく、アクセサリ側マウントの挿入が許可されるように、第１〜第３の爪はボディ側マウントに配設されており、第１の爪と第２の爪とは円周方向に離れて隣り合うようにボディ側マウントに設けられ、第１〜第３の爪の円周方向において互いに隣り合う爪同士の間の間隔の中では、第１の爪と第２の爪との爪同士の間隔が、他の爪同士の間隔に比して最も狭く、正規の挿抜位相で挿入されたアクセサリ側マウントのボディ側マウントに対して回転可能な角度は、第１の爪と第２の爪との爪同士の間隔で規定されることを特徴とする。
（４）  請求項２３の発明によるボディ側マウントは、
請求項１０〜２２のいずれか一項に記載のカメラボディに設けられる、ことを特徴とする。
（５）  請求項２４の発明によるカメラ用アクセサリは、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、３つのカメラボディ側溝のうちの所定円の円周方向に延在する長さが最も長い第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、３つのカメラボディ側溝のうちの第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、３つのカメラボディ側溝のうちの所定円の円周方向に延在する長さが最も短い第３のカメラボディ側溝への挿入が許可されるようにアクセサリ側マウントに配設されており、アクセサリ側マウントは、第３のアクセサリ側爪の近傍に規制部材を有し、規制部材は、カメラボディ側マウントに対して正規の挿抜位相で挿入した第１〜第３のアクセサリ側爪を円周方向に沿って第１の回転方向に回転させた場合に、いずれか１つのカメラボディ側爪の側端に当接することで、第１の回転方向への回転範囲を規制するように配設されており、且つ、カメラボディ側マウントに対して第１〜第３のアクセサリ側爪を円周方向に沿って、第１の回転方向とは反対の第２の回転方向に回転させた場合に、いずれか１つのカメラボディ側爪とは異なるカメラボディ側爪の側端に当接することで、第２の回転方向への回転範囲を規制するように配設されている、ことを特徴とする。
（６）  請求項２５の発明によるカメラ用アクセサリは、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、所定円の円周方向に延在する範囲の中心角が略７８．５度の第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、所定円の円周方向に延在する範囲の中心角が略６１度の第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、所定円の円周方向に延在する範囲の中心角が略４７．５度の第３のカメラボディ側溝への挿入が許可されるようにアクセサリ側マウントに配設されており、アクセサリ側マウントは、第３のアクセサリ側爪の近傍に規制部材を有し、規制部材は、カメラボディ側マウントに対して正規の挿抜位相で挿入した第１〜第３のアクセサリ側爪を円周方向に沿って第１の回転方向に回転させた場合に、いずれか１つのカメラボディ側爪の側端に当接することで、第１の回転方向への回転範囲を規制するように配設されており、且つ、カメラボディ側マウントに対して第１〜第３のアクセサリ側爪を円周方向に沿って、第１の回転方向とは反対の第２の回転方向に回転させた場合に、いずれか１つのカメラボディ側爪とは異なるカメラボディ側爪の側端に当接することで、第２の回転方向への回転範囲を規制するように配設されている、ことを特徴とする。
【手続補正３】
【補正対象書類名】明細書
【補正対象項目名】０１５１
【補正方法】変更
【補正の内容】
【０１５１】
なお、本発明は、上述した実施の形態のものに何ら限定されず、カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントを備えるカメラ用アクセサリにおいて、アクセサリ側マウントをカメラボディ側マウントに対して正規の挿抜位相で挿入した際に、第１〜第３の爪のいずれもがカメラボディ側マウントに設けられている３つのカメラボディ側爪に阻害されることなくカメラボディ側マウントへの挿入が許可されるように、第１〜第３の爪はアクセサリ側マウントに配設されており、第１〜第３の爪は、円周方向に延在する長さがそれぞれ異なり、第１の爪は、円周方向に延在する長さが第１〜第３の爪の中で最も長く、第３の爪は、円周方向に延在する長さが第１〜第３の爪の中で最も短く、アクセサリ側マウントは、第３の爪の近傍に規制部材を有し、規制部材は、カメラボディ側マウントに対して正規の挿抜位相で挿入した第１〜第３の爪を円周方向に沿って第１の回転方向に回転させた場合に、いずれか１つのカメラボディ側爪の側端に当接することで、第１の回転方向への回転範囲を規制するように配設されており、且つ、カメラボディ側マウントに対して第１〜第３の爪を円周方向に沿って、第１の回転方向とは反対の第２の回転方向に回転させた場合に、いずれか１つのカメラボディ側爪とは異なるカメラボディ側爪の側端に当接することで、第２の回転方向への回転範囲を規制するように配設されている、ことを特徴とする各種構造のカメラ用アクセサリ、および、これらのカメラ用アクセサリに設けられた各種構造のアクセサリ側マウントを含むものである。
また、本発明は、上述した実施の形態のものに何ら限定されず、アクセサリ側マウントを備えるカメラ用アクセサリが着脱可能なカメラボディであって、且つ、カメラボディの開口に関する所定円の円周に沿って互いに離間して、当該円周上から径方向に突出して配設された第１〜第３の爪を有するバヨネット構造のボディ側マウントを備えるカメラボディにおいて、ボディ側マウントは、アクセサリ側マウントに対して正規の挿抜位相で挿入した際には、第１〜第３の爪のいずれもがアクセサリ側マウントに設けられている３つのアクセサリ側爪に阻害されることなく、アクセサリ側マウントの挿入が許可されるように、第１〜第３の爪はボディ側マウントに配設されており、第１の爪と第２の爪とは円周方向に離れて隣り合うようにボディ側マウントに設けられ、第１〜第３の爪の円周方向において互いに隣り合う爪同士の間の間隔の中では、第１の爪と第２の爪との爪同士の間隔が、他の爪同士の間隔に比して最も狭く、正規の挿抜位相で挿入されたアクセサリ側マウントのボディ側マウントに対して回転可能な角度は、第１の爪と第２の爪との爪同士の間隔で規定されることを特徴とする各種構造のカメラボディ、および、これらカメラボディに設けられる各種構造のボディ側マウントを含むものである。
また、本発明は、上述した実施の形態のものに何ら限定されず、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、３つのカメラボディ側溝のうちの所定円の円周方向に延在する長さが最も長い第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、３つのカメラボディ側溝のうちの第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、３つのカメラボディ側溝のうちの所定円の円周方向に延在する長さが最も短い第３のカメラボディ側溝への挿入が許可されるようにアクセサリ側マウントに配設されており、アクセサリ側マウントは、第３のアクセサリ側爪の近傍に規制部材を有し、規制部材は、カメラボディ側マウントに対して正規の挿抜位相で挿入した第１〜第３のアクセサリ側爪を円周方向に沿って第１の回転方向に回転させた場合に、いずれか１つのカメラボディ側爪の側端に当接することで、第１の回転方向への回転範囲を規制するように配設されており、且つ、カメラボディ側マウントに対して第１〜第３のアクセサリ側爪を円周方向に沿って、第１の回転方向とは反対の第２の回転方向に回転させた場合に、いずれか１つのカメラボディ側爪とは異なるカメラボディ側爪の側端に当接することで、第２の回転方向への回転範囲を規制するように配設されている、ことを特徴とする各種構造のカメラ用アクセサリを含むものである。
また、本発明は、上述した実施の形態のものに何ら限定されず、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、所定円の円周方向に延在する範囲の中心角が略７８．５度の第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、所定円の円周方向に延在する範囲の中心角が略６１度の第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、所定円の円周方向に延在する範囲の中心角が略４７．５度の第３のカメラボディ側溝への挿入が許可されるようにアクセサリ側マウントに配設されており、アクセサリ側マウントは、第３のアクセサリ側爪の近傍に規制部材を有し、規制部材は、カメラボディ側マウントに対して正規の挿抜位相で挿入した第１〜第３のアクセサリ側爪を円周方向に沿って第１の回転方向に回転させた場合に、いずれか１つのカメラボディ側爪の側端に当接することで、第１の回転方向への回転範囲を規制するように配設されており、且つ、カメラボディ側マウントに対して第１〜第３のアクセサリ側爪を円周方向に沿って、第１の回転方向とは反対の第２の回転方向に回転させた場合に、いずれか１つのカメラボディ側爪とは異なるカメラボディ側爪の側端に当接することで、第２の回転方向への回転範囲を規制するように配設されている、ことを特徴とする各種構造のカメラ用アクセサリを含むものである。